(57)【特許請求の範囲】
【請求項１】
一枚のブランクを組み立ててなり、少なくともほぼ矩形状のベース面と、該ベース面の横方向の一方に隣接する側面と、該側面に隣接するカバー面と、前記ベース面の横方向の他方に隣接する側面とを有し、前記側面が蛇腹状に折り込まれた収納ケースであって、前記カバー面又はベース面の下縁の一部に、前記カバー面１７の内側に０．５ｍｍ以上内側に入った位置に設けた折れ線を介して折り曲げ可能な舌片を設け、該舌片を蛇腹状に折り込まれた前記側面の間に折り曲げたことを特徴とする収納ケース。
【発明の詳細な説明】
【０００１】
【発明の属する技術分野】
本発明は、収納ケースに関するもので、さらに、詳細には、両側面が蛇腹状である偏平状の収納ケースに関する。
【０００２】
【従来の技術】
従来、板状の内容物、例えばコンパクトディスク（ＣＤ）などを収納する偏平状の収納ケースとしては、通常の板紙からなる偏平状の収納ケースあるいはプラスチック製のケースが多く使用されている。そして、板紙からなる収納ケースの場合、両側面を蛇腹状としている形態のものも発明されている。この蛇腹状の形態の収納ケースでは、内容物の充填包装は、機械化が難しく手作業で行っている。
【０００３】
【発明が解決しようとする課題】
しかしながら、上記の両側面を蛇腹状としている形態の偏平状の収納ケースの場合、潰れやすく、また、内容物が中で移動しやすく、破損、傷つきの危険性があることが問題であった。また、大量の内容物を高速で包装する場合にも、蛇腹状であるため収納ケースの開口部の形が潰れたり、歪んだりして、機械上で内容物を挿入することが難しく手作業で行なわざるを得なく、充填包装ラインでの包装機適性の点にも問題があった。
【０００４】
本発明は、上記のような事情に鑑みてなされたものであり、その目的とするところは、一枚の板紙のブランクから構成された収納ケースであって、組み立てが一般的なサック貼りの工程で量産が可能で、内容物の充填も自動化包装に対応ができ、偏平状でありながら潰れにくく、内容物を中で保持する機能を持ち、軽量であり、そして使用後の廃棄処理が簡便である収納ケースを提供することにある。
【０００５】
【課題を解決するための手段】
上記のような課題を解決すべく検討した結果、本発明は、一枚のブランクを組み立ててなり、少なくともほぼ矩形状のベース面と、該ベース面の横方向の一方に隣接する側面と、該側面に隣接するカバー面と、前記ベース面の横方向の他方に隣接する側面とを有し、前記側面が蛇腹状に折り込まれた収納ケースであって、前記カバー面又はベース面の下縁の一部に、前記カバー面１７の内側に０．５ｍｍ以上内側に入った位置に設けた折れ線を介して折り曲げ可能な舌片を設け、該舌片を蛇腹状に折り込まれた前記側面の間に折り曲げたことを特徴とする収納ケースである。本発明によれば、一枚の板紙のブランクから構成された収納ケースであって、組み立てが一般的なサック貼りの工程で量産が可能で、内容物の充填も自動化包装に対応ができ、偏平状でありながら潰れにくく、内容物を中で保持する機能を持ち、軽量であり、そして使用後の廃棄処理が簡便である収納ケースを得ることができる。
【０００６】
【発明の実施の形態】
以下に、図面を参照しながら、本発明について、詳しく説明する。
【０００７】
図１は参考例である収納ケースの概略組み立て図である。この収納ケース１では、収納ケース中央部のベース面１１、上下での上蓋面１３、下蓋面１５、およびカバー面１７で組み立てられ、対向する両側面１６、１８を蛇腹状としている。そして、カバー面１７の下縁に設けた舌片２０を収納ケース１の内側に折り込み、収納ケース１の組み立てた形状を保持している。本実施例においては、蛇腹を２段としているが、蛇腹の段数は１段あるいは３段以上の複数にすることもできる。
【０００８】
本参考例の収納ケース１は、図２に示すような形状の１枚のブランク１０を組み立てることにより形成される。ここで、ブランク１０に使用される材料は、主に板紙であり、組み立てた状態で内容物を保護できるような適度な剛性を備えている必要があり、厚みが０．２〜１．０ｍｍの範囲であることが好ましい。また、好適な板紙の種類としては、コートボール、マニラボール（アイボリー、カード紙など）などがあげられる。
【０００９】
ブランク１０では、図２に示すように、中央の部分を、矩形状のベース面１１とし、そのベース面部１１の上縁には、折れ線ａを介して上面１２を連接し、上面１２には、折れ線ｂを介して上蓋面１３を連接している。ベース面１１の下縁には、折れ線ｃを介して下面１４を連接し、下面１４には、折れ線ｄを介して下蓋面１５を連接している。また、ベース面１１の左右の一方の縁には、折れ線ｅを介して側面１６を連接し、側面１６には折れ線ｅ１、ｅ２、ｅ３を設け、そして、折れ線ｆを介してカバー面１７を連接している。ベース面１１のもう一方の縁には、折れ線ｇを介して側面１８を連接し、側面１８の中央には折れ線ｇ１、ｇ２、ｇ３を設け、そして、折れ線ｈを介して糊代片１９を連接している。
【００１０】
また、カバー面１７の下縁の一部には、折れ線ｉを介して、舌片２０を連接している。この折れ線ｉは、舌片２０が折り曲げやすいように、リード罫あるいは半切れとすることが好ましい。
【００１１】
また、この舌片２０の形状は、折り込まれた状態で、蛇腹状の両側面１６、１８の内側への動きを止めるように設定される。基本的には、偏平な四辺形であり、短辺の長さは、下面１４の短辺の長さとほぼ同じで、収納ケース１の厚さとほぼ同等となる。舌片２０の長辺の長さは、ブランク１０で収納ケース１を組み立てる際に、蛇腹状にした時の折り込まれた両側面１６、１８の折り込まれた内側の先端同志の間の距離とする。このことにより、蛇腹状の両側面が内側に動くことを止めることができる。
【００１２】
また、この舌片２０の折れ線ｉを、図３に示すように、カバー面１７の内側に０．５ｍｍ以上内側に入った位置に設ける。このことによって、舌片２０を内側に直角に折り曲げた時、蛇腹状に折り込まれた両側面１６、１８の内側への動きを止めやすくすることができる。
【００１３】
図４において、この収納ケース１の組み立て方法の一例について説明する。
【００１４】
まず、材料の板紙を図２に示す形状に打ち抜き、同時に各折れ線となる罫線の加工をしたブランク１０を製造する。
【００１５】
つぎに、図４−ａに示すように、そのブランク１０の糊代片１９を折れ線ｈで内側に折り返し、図４−ｂに示すように折り畳む。そして、側面１６を折れ線ｅで内側に折り返し、図４−ｃに示すように、カバー面１７を糊代片１９とを接着する。この折り畳まれた状態で保管、輸送などが行われる。この糊代片１９の折り返し作業、そして、カバー面１７の折り返し作業などは、従来行われているサック貼り加工工程で行うことができる。
【００１６】
なお、折り畳む方法としては、側面１８を折れ線ｇで内側に折り返し、そして、カバー面１７を折れ線ｆで内側に折り返し、カバー面１７と糊代片１９とを接着する方法もある。
【００１７】
つづいて、内容物を収納する時には、折り畳まれた状態の収納ケース１を起こす。この時には、図４−ｄに示すように、側面１６の折れ線ｅ１、ｅ２、ｅ３、側面１８の折れ線ｇ１、ｇ２、ｇ３をジグザグに折り込み、蛇腹状とする。そして、カバー面１７の下縁の一部に連接された舌片２０を内側に直角以上に折り曲げ、図４−ｅに示すように、蛇腹状にした時の折り込まれた両側面１６、１８の内側に挟まれた状態とする。この舌片２０を折り曲げることによって、図５の底面図に示すように、カバー面１７とベース面１１との間の上下は補強されると同時に、蛇腹状に折り込まれた両側面の横への動きが止められるため、安定しない蛇腹状の形状を、両側にずれない状態に保持することができる。この蛇腹状に起こした状態で収納ケースを保持できるということは、内容物を挿入しやすく、自動機械で行う充填包装ラインで内容物を充填包装する場合に非常に重要な点であり、この形を保持できないと、機械的に内容物を充填包装することは不可能で、手作業で行わざるを得ない。
【００１８】
さらに、中に内容物を収納した後、図４−ｆに示すように、上下の蓋を折り返すが、下面１４を折れ線ｃで内側に直角に折り曲げ、そして、下蓋面１５をカバー面１７の上に折れ線ｄで内側に直角に折り曲げる。一方、上面１２を折れ線ａで内側に直角に折り曲げ、そして、カバー面１７の上に折れ線ｂで内側に直角に折り曲げ、下蓋面１５と重ね合わせる。この重ね合わせた部分では、接着剤で接着することもできる。また、一方の蓋面に差し込み口を設け、他方にこの差し込み口に差し込む差し込み片を設けて、両面を係止することもできる。
【００１９】
ＣＤなどの板状の内容物を収納する場合には、起こした収納ケース１の蛇腹の対向する側面の谷部に、図６の断面図に示すように、板状の内容物が挿入し、山部の間で挟持することができる。
【００２０】
つぎに、図７は本発明の収納ケースの別の実施例である収納ケース１Ａを示す斜視図であり、蛇腹の段数が１段の場合の実施例である。図８はその収納ケース１Ａを構成する板紙からなるブランク１０Ａを示す展開図である。図１〜２に示す収納ケース１と同一または同様な部分には同一符号を付けて示している。この収納ケース１Ａでは、蛇腹の段数が１段であり、舌片２０の形状を、蛇腹状の両側面１６、１８の内側への動きを止めると同時に、蛇腹の上への動きも止めることができる形状としている。
【００２１】
本実施例の収納ケース１Ａは、図８に示すような形状の１枚のブランク１０Ａを組み立てることにより形成される。その形状は若干異なっており、主に舌片２０の形状が異なっている。この収納ケース１Ａでは、蛇腹の段数が１段であり、舌片２０の形状を収納ケース１の場合の舌片２０の形状を、図９−ａに示すような四辺形に加えて、図９−ｂに示すように、折り込まれた蛇腹を上方に動かないよう保持するための突起部分２０ａ（斜線部分）を設けた形状とする。このことによって、蛇腹の横の動きを止めると同時に、蛇腹の上への動きも止めることができ有効である。この突起部分２０ａの形状は、図９−ｂに示すような台形、図９−ｃに示すような三角形などとすることができる。また、図９−ｄに示すように、舌片２０の形状が台形にすることによって、蛇腹の横の動きを止めると同時に、蛇腹の上への動きも止めることができる。いずれにしろ、蛇腹状に折り込まれた側面１６、１８の上下の動きを止めることができるように舌片２０の側辺に設ける。
【００２２】
【発明の効果】
本発明によれば、一枚の板紙のブランクから構成された両側面が蛇腹状の収納ケースであって、効果としては、下記の内容があげられる。
（１）充填前までの組み立てが一般的なサック貼りの工程で量産が可能であること。
（２）内容物の充填も自動化包装に対応ができること。
【００２３】
舌片を設けることにより、形状に不安定な蛇腹状の収納ケースの形が保持され、機械上でのＣＤなどの内容物の挿入を容易にしている。このことによって、自動充填包装機に対応できる形状の収納ケースとなっている。この内容物の充填が自動化包装に対応できることは、非常に重要で、大量な内容物を充填包装する場合に、手作業による方法では、時間的に対応できない上、コストも高くなる。従って、機械化できることは、大量の内容物を短時間で充填包装できる上に、コストダウンになる。
（３）充填後の収納ケースが偏平状でありながら潰れにくく、内容物を中で保持する機能を持ち、軽量であり、そして使用後の廃棄処理が簡便であること。
【図面の簡単な説明】
【図１】参考例である収納ケースの概略組み立て図である。
【図２】参考例である収納ケースのブランクを示す展開図である。
【図３】本発明の収納ケースの一実施例のブランクを示す部分展開図である。
【図４】本発明の収納ケースの一実施例を組み立てる
法を説明する図である。
【図５】本発明の収納ケースの一実施例の底面図である。
【図６】本発明の収納ケースの一実施例の断面図である。
【図７】本発明の収納ケースの別の実施例の斜視図である。
【図８】本発明の収納ケースの別の実施例のブランクを示す展開図である。
【図９】本発明の収納ケースの別の実施例の底面図である。
【符号の説明】
１      収納ケース
１Ａ    収納ケース
２      内容物
１０    ブランク
１０Ａ  ブランク
１１    ベース面
１２    上面
１３    上蓋面
１４    下面
１５    下蓋面
１６    側面
１７    カバー面
１８    側面
１９    糊代片
２０    舌片
２０ａ  突起部分（舌片）
ａ〜ｉ  折れ線
ｅ      折れ線（蛇腹用）
ｅ１    折れ線（蛇腹用）
ｅ２    折れ線（蛇腹用）
ｅ３    折れ線（蛇腹用）
ｇ      折れ線（蛇腹用）
ｇ１    折れ線（蛇腹用）
ｇ２    折れ線（蛇腹用）
ｇ３    折れ線（蛇腹用）
【図１】
0004156094.tif 000002
【図２】
0004156094.tif 000003
【図３】
0004156094.tif 000004
【図４】
0004156094.tif 000005
【図５】
0004156094.tif 000006
【図６】
0004156094.tif 000007
【図７】
0004156094.tif 000008
【図８】
0004156094.tif 000009
【図９】
0004156094.tif 000010